(57)【要約】  【課題】  製版済孔版原紙が巻着された印刷ドラムを用いて印刷用紙に印刷を施す孔版印刷装置において、印刷用紙の印刷範囲と製版済孔版原紙の印面範囲との位置合わせを高精度に行う。  【解決手段】  ドラム回転情報検出手段５０により検出されるパルス信号の周期よりも短い周期のドラム用カウンタパルス信号をドラム用カウンタ手段１０１において発生して計測し、カウンタ情報取得手段１０２において上記パルス信号の一周期に応じたドラム用カウンタパルス信号の数を取得するとともに、印刷ドラム１０が所定の基準位置まで回転した時点からレジストセンサ６０により用紙先端が検出された時点までのドラム用カウンタパルス信号の数を取得し、上記のように取得されたドラム用カウンタパルス信号の数の比率に基づいてモータ制御手段１０３によりレジストモータ３５の回転速度を制御する。【選択図】          図２
2006103172.tif 000002
【特許請求の範囲】
【請求項１】
印刷ドラムと、該印刷ドラムの所定の基準位置からのドラム回転角度情報をパルス信号として検出するドラム回転情報検出手段と、前記印刷ドラムまで印刷用紙を搬送する搬送ローラと、該搬送ローラを駆動する搬送モータと、前記搬送ローラにより搬送途中の印刷用紙の先端が所定位置にきたことを検出する用紙先端検出手段と、前記ドラム回転情報検出手段により検出されたドラム回転角度情報と前記用紙先端検出手段により検出された先端検出情報とに基づいて前記搬送ローラにより搬送された印刷用紙の印刷開始位置と前記印刷ドラムの印面開始位置とが一致するように前記搬送モータの回転速度を制御するモータ制御手段とを備えた画像形成装置において、
前記ドラム回転情報検出手段により検出されるパルス信号の周期よりも短い周期のドラム用カウンタパルス信号を発生するとともに、該発生したドラム用カウンタパルス信号の数を計測するドラム用カウンタ手段と、
前記用紙先端検出手段により前記印刷用紙の先端が検出される前に最後に前記ドラム回転情報検出手段により検出されたパルス信号の検出時点から前記用紙先端検出手段により前記印刷用紙の先端が検出された時点までの前記ドラム用カウンタパルス信号の数または前記用紙先端検出手段により印刷用紙の先端が検出された時点から該先端検出後最初に前記ドラム回転情報検出手段により検出されたパルス信号の検出時点までの前記ドラム用カウンタパルス信号の数を取得するとともに、前記ドラム回転情報検出手段により検出されたパルス信号の一周期に応じた前記ドラム用カウンタパルス信号の数を取得するカウンタ情報取得手段とを有し、
前記モータ制御手段が、前記印刷用紙の先端が検出される前に最後に前記ドラム回転情報検出手段により検出されたパルス信号の検出時点から前記用紙先端検出手段により前記用紙先端が検出された時点までの前記ドラム用カウンタパルス信号の数または前記用紙先端検出手段により印刷用紙の先端が検出された時点から該先端検出後最初に前記ドラム回転情報検出手段により検出されたパルス信号の検出時点までの前記ドラム用カウンタパルス信号の数と前記ドラム回転情報検出手段により検出されたパルス信号の一周期に応じた前記ドラム用カウンタパルス信号の数との比率、
および前記用紙先端検出手段により前記印刷用紙の先端が検出された時点までに前記ドラム回転情報検出手段により検出されたパルス信号の数または前記用紙先端検出手段により印刷用紙の先端が検出された時点から該先端検出後最初に前記ドラム回転情報検出手段により検出されたパルス信号の検出時点までに検出されたパルス信号の数に基づいて前記搬送モータの回転速度を制御するものであることを特徴とする孔版印刷装置。
【請求項２】
前記ドラム回転情報検出手段が、前記印刷ドラムが前記所定の基準位置まで回転した後に最初に検出するパルス信号または前記印刷ドラムが前記所定の基準位置まで回転する直前に検出するパルス信号を基準として前記ドラム回転角度情報を検出するものであり、
前記カウンタ情報取得手段が、前記印刷ドラムが前記所定の基準位置まで回転した時点から前記ドラム回転情報検出手段により最初のパルス信号が検出された時点までの前記ドラム用カウンタパルス信号の数または前記印刷ドラムが前記所定の基準位置まで回転する前に最後に前記ドラム回転情報検出手段によりパルス信号が検出された時点から前記印刷ドラムが前記所定の基準位置まで回転した時点までの前記ドラム用カウンタパルス信号の数をさらに取得するものであり、
前記モータ制御手段が、前記印刷ドラムが前記所定の基準位置まで回転した時点から前記ドラム回転情報検出手段により最初のパルス信号が検出された時点までの前記ドラム用カウンタパルス信号の数または前記印刷ドラムが前記所定の基準位置まで回転する前に最後にドラム回転情報検出手段によりパルス信号が検出された時点から前記印刷ドラムが前記所定の基準位置まで回転した時点までの前記ドラム用カウンタパルス信号の数と前記ドラム回転情報検出手段により検出されたパルス信号の一周期に応じた前記ドラム用カウンタパルス信号の数との比率、
前記印刷用紙の先端が検出される前に最後に前記ドラム回転情報検出手段により検出されたパルス信号の検出時点から前記用紙先端検出手段により前記用紙先端が検出された時点までの前記ドラム用カウンタパルス信号の数または前記用紙先端検出手段により印刷用紙の先端が検出された時点から該先端検出後最初に前記ドラム回転情報検出手段により検出されたパルス信号の検出時点までの前記ドラム用カウンタパルス信号の数と前記ドラム回転情報検出手段により検出されたパルス信号の一周期に応じた前記ドラム用カウンタパルス信号の数との比率、
および前記用紙先端検出手段により前記印刷用紙の先端が検出された時点までに前記ドラム回転情報検出手段により検出されたパルス信号の数または前記用紙先端検出手段により印刷用紙の先端が検出された時点から該先端検出後最初に前記ドラム回転情報検出手段により検出されたパルス信号の検出時点までに検出されたパルス信号の数に基づいて前記搬送モータの回転速度を制御するものであることを特徴とする請求項１記載の画像形成装置。
【請求項３】
前記搬送ローラのローラ回転角度情報をパルス信号として検出するローラ回転情報検出手段と、
該ローラ回転情報検出手段により検出されるパルス信号の周期よりも短い周期のローラ用カウンタパルス信号を発生するとともに、該発生したローラ用カウンタパルス信号の数を計測するローラ用カウンタ手段とを有し、
前記カウンタ情報取得手段が、前記用紙先端検出手段による前記印刷用紙の先端の検出以後の所定の時点の前に最後に前記ローラ回転情報検出手段により検出されたパルス信号の検出時点から前記所定の時点までの前記ローラ用カウンタパルス信号の数または前記用紙先端検出手段による前記印刷用紙の先端の検出以後の所定の時点から該所定の時点後最初に前記ローラ回転情報検出手段により検出されたパルス信号の検出時点までの前記ローラ用カウンタパルス信号の数を取得するとともに、前記ローラ回転情報検出手段により検出されたパルス信号の一周期に応じた前記ローラ用カウンタパルス信号の数をさらに取得するものであり、
前記モータ制御手段が、前記印刷用紙の先端が検出される前に最後に前記ドラム回転情報検出手段により検出されたパルス信号の検出時点から前記用紙先端検出手段により前記用紙先端が検出された時点までの前記ドラム用カウンタパルス信号の数または前記用紙先端検出手段により印刷用紙の先端が検出された時点から該先端検出後最初に前記ドラム回転情報検出手段により検出されたパルス信号の検出時点までの前記ドラム用カウンタパルス信号の数と前記ドラム回転情報検出手段により検出されたパルス信号の一周期に応じた前記ドラム用カウンタパルス信号の数との比率、
および前記用紙先端検出手段により前記印刷用紙の先端が検出された時点までに前記ドラム回転情報検出手段により検出されたパルス信号の数または前記用紙先端検出手段により印刷用紙の先端が検出された時点から該先端検出後最初に前記ドラム回転情報検出手段により検出されたパルス信号の検出時点までに検出されたパルス信号の数に基づいて前記搬送モータの前記所定の時点における目標回転角度を算出するとともに、
前記所定の時点前に最後に前記ローラ回転情報検出手段により検出されたパルス信号の検出時点から前記所定の時点までの前記ローラ用カウンタパルス信号の数または前記所定の時点から該所定の時点後最初に前記ローラ回転情報検出手段により検出されたパルス信号の検出時点までの前記ローラ用カウンタパルス信号の数と前記ローラ回転情報検出手段により検出されたパルス信号の一周期に応じた前記ローラ用カウンタパルス信号の数との比率、
および前記所定の時点までに前記ローラ回転情報検出手段により検出されたパルス信号の数または前記所定の時点後最後に前記ローラ回転情報検出手段により検出されたパルス信号の検出時点までに検出されたパルス信号の数に基づいて前記所定の時点における実測回転角度を算出し、前記実測回転角度が前記目標回転角度に近づくように前記所定の時点以後の前記搬送モータの回転速度を制御するものであることを特徴とする請求項１記載の画像形成装置。
【請求項４】
前記搬送ローラのローラ回転角度情報をパルス信号として検出するローラ回転情報検出手段と、
該ローラ回転情報検出手段により検出されるパルス信号の周期よりも短い周期のローラ用カウンタパルス信号を発生するとともに、該発生したローラ用カウンタパルス信号の数を計測するローラ用カウンタ手段とを有し、
前記カウンタ情報取得手段が、前記用紙先端検出手段による前記印刷用紙の先端の検出以後の所定の時点の前に最後に前記ローラ回転情報検出手段により検出されたパルス信号の検出時点から前記所定の時点までの前記ローラ用カウンタパルス信号の数または前記用紙先端検出手段による前記印刷用紙の先端の検出以後の所定の時点から該所定の時点後最初に前記ローラ回転情報検出手段により検出されたパルス信号の検出時点までの前記ローラ用カウンタパルス信号の数を取得するとともに、前記ローラ回転情報検出手段により検出されたパルス信号の一周期に応じた前記ローラ用カウンタパルス信号の数をさらに取得するものであり、
前記モータ制御手段が、前記印刷ドラムが前記所定の基準位置まで回転した時点から前記ドラム回転情報検出手段により最初のパルス信号が検出された時点までの前記ドラム用カウンタパルス信号の数または前記印刷ドラムが前記所定の基準位置まで回転する前に最後にドラム回転情報検出手段によりパルス信号が検出された時点から前記印刷ドラムが前記所定の基準位置まで回転した時点までの前記ドラム用カウンタパルス信号の数と前記ドラム回転情報検出手段により検出されたパルス信号の一周期に応じた前記ドラム用カウンタパルス信号の数との比率、
前記印刷用紙の先端が検出される前に最後に前記ドラム回転情報検出手段により検出されたパルス信号の検出時点から前記用紙先端検出手段により前記用紙先端が検出された時点までの前記ドラム用カウンタパルス信号の数または前記用紙先端検出手段により印刷用紙の先端が検出された時点から該先端検出後最初に前記ドラム回転情報検出手段により検出されたパルス信号の検出時点までの前記ドラム用カウンタパルス信号の数と前記ドラム回転情報検出手段により検出されたパルス信号の一周期に応じた前記ドラム用カウンタパルス信号の数との比率、
および前記用紙先端検出手段により前記印刷用紙の先端が検出された時点までに前記ドラム回転情報検出手段により検出されたパルス信号の数または前記用紙先端検出手段により印刷用紙の先端が検出された時点から該先端検出後最初に前記ドラム回転情報検出手段により検出されたパルス信号の検出時点までに検出されたパルス信号の数に基づいて前記搬送モータの前記所定の時点における目標回転角度を算出するとともに、
前記所定の時点前に最後に前記ローラ回転情報検出手段により検出されたパルス信号の検出時点から前記所定の時点までの前記ローラ用カウンタパルス信号の数または前記所定の時点から該所定の時点後最初に前記ローラ回転情報検出手段により検出されたパルス信号の検出時点までの前記ローラ用カウンタパルス信号の数と前記ローラ回転情報検出手段により検出されたパルス信号の一周期に応じた前記ローラ用カウンタパルス信号の数との比率、
および前記所定の時点までに前記ローラ回転情報検出手段により検出されたパルス信号の数または前記所定の時点後最後に前記ローラ回転情報検出手段により検出されたパルス信号の検出時点までに検出されたパルス信号の数に基づいて前記所定の時点における実測回転角度を算出し、前記実測回転角度が前記目標回転角度に近づくように前記所定の時点以後の前記搬送モータの回転速度を制御するものであることを特徴とする請求項２記載の画像形成装置。
【発明の詳細な説明】
【技術分野】
【０００１】
本発明は、感光ドラムによりトナー像を印刷用紙に転写する複写機やファクシミリ、および製版済孔版原紙が巻着されたドラムを用いて孔版印刷を行う孔版印刷装置などといった、ドラムを用いて画像形成を施す画像形成装置に関するものであり、特に、印刷用紙の所望の位置に画像形成されるように印刷用紙を搬送する画像形成装置に関するものである。
【背景技術】
【０００２】
従来、ドラムを用いた画像形成装置として、たとえば、製版済孔版原紙が券着された印刷ドラムを用いた孔版印刷装置やＰＰＣなどの感光ドラムを用いた複写機などが提案されている。そして、たとえば、上記孔版印刷装置として、製版済孔版原紙が外周面に巻着されて回転する印刷ドラムと、この印刷ドラムに圧接されて回転するプレスローラとの間に印刷用紙を挿入し、印刷ドラム内のインクを製版済孔版原紙における孔から押し出し、インクを印刷用紙に転写させて印刷を行う孔版印刷装置が提案されている。
【０００３】
上記のような孔版印刷装置においては、給紙台から繰り出された印刷用紙が搬送ローラにより印刷ドラムに向かって搬送され、印刷ドラムとプレスローラとの接点まで到達したとき印刷が開始される。したがって、印刷用紙の印刷範囲と製版済孔版原紙の印面範囲の位置を合わせるためには、印刷用紙の印刷開始位置が上記接点に到達したとき、印刷ドラムの印面開始位置が上記接点にくるようにする必要がある。そこで、たとえば、印刷用紙が搬送ローラに到達したときの印刷ドラムの回転角度情報を得、その回転角度情報に基づいて搬送ローラの回転速度を制御するようにすればよいが、印刷用紙が搬送ローラに到達した際における搬送ローラによる印刷用紙のくわえ込み量にはばらつきがあり、また、印刷用紙を搬送ローラで搬送する際に搬送ローラにおいて滑りが生じたりするので、上記のように制御したのでは常に印面開始位置と印刷開始位置とを一致させることは困難である。
【０００４】
そこで、搬送ローラと上記接点との間に搬送途中の印刷用紙の先端を検出するセンサを設け、このセンサにより印刷用紙の先端が検出された時点を基準として、印刷用紙の印刷開始位置が上記接点に到達するまでの時間と印刷ドラムの印面開始位置が上記接点に到達するまでの時間とが合うように搬送ローラの回転速度を制御する方法が提案されている。
【０００５】
たとえば、特許文献１においては、印刷用紙が搬送ローラに当接した状態で印刷用紙を待機させ、印刷ドラムが所定位置まで回転した時点で搬送路ローラの回転を開始し、その搬送ローラの回転開始から印刷用紙の先端が検出されるまで時間間隔を取得し、その取得された時間間隔と予め設定された基準の時間間隔とを比較し、その差に応じて搬送ローラの回転速度を制御する方法が提案されている。
【０００６】
また、特許文献２および特許文献３においては、印刷ドラムの回転角度情報を検出するエンコーダなどを設けて印刷ドラムの回転角度情報に応じたパルス信号を計測し、印刷用紙の先端が検出されたときのそのパルス信号の数に基づいて搬送ローラの回転速度を制御する方法が提案されている。
【０００７】
【特許文献１】特公昭６３−３０２５６号公報
【特許文献２】特開昭６２−８８７４８号公報
【特許文献３】特開昭６３−９７５４９号公報
【発明の開示】
【発明が解決しようとする課題】
【０００８】
しかしながら、特許文献１に記載の方法では、上記基準値は予め設定された印刷ドラムの速度に基づいて算出されるものであるため、印刷ドラムの回転速度にばらつきがあった場合、そのばらつき分だけ実際の印刷ドラムの回転速度と上記基準値を設定する際に用いられた印刷ドラムの回転速度との間に誤差が生じ、搬送ローラの回転速度を適切に設定することができず、印刷位置合わせを適切に行うことができない。また、印刷速度を変更するため印刷ドラムの回転速度を変更した場合には、上記基準値の値も変更する必要がある。
【０００９】
また、近年、孔版印刷の高精細化、多色化が進んでおり、印刷位置をより高精度に合わせる技術が求められているが、特許文献２および特許文献３に記載の方法では、印刷用紙の先端検出時における印刷ドラムの回転角度情報の精度が、回転角度情報を検出する機構の分解能（印刷ドラム１回転あたりのエンコーダパルスのパルス信号の数）に依存するため、たとえば、印刷ドラムのドラム径が１７３ｍｍ（印刷ドラムの円周は５４３ｍｍ）で、印刷ドラムの回転角度情報を検出するロータリーエンコーダの分解能が３００（印刷ドラムが１回転する間にパルス信号を３００個発生する）である場合には、５４３/３００＝１．８１ｍｍであるため、１．８１ｍｍより細かい精度で印刷位置を合わせることが困難である。また、ロータリーエンコーダのスリットを細かくすれば、より細かい精度で印刷位置を合わせることもできるが、ロータリーエンコーダのスリットを細かくすることでそのスリットへの紙粉混入により誤動作を招いたり、高い組立精度が必要となったりしてしまう。また、上記のような紙粉混入を防ぐカバーなどを設けた場合にはコストアップにもなる。また、ロータリーエンコーダのスリットを細かくした場合には、そのスリットのピッチに応じた高精度な光学センサが必要となりコストアップになる。また、スリットのピッチを変えない場合には、ロータリーエンコーダの径を大きくすることも考えられるが、装置本体が大型化してしまう。また、ギヤやプーリによる減速機を介してロータリーエンコーダを設置することで、装置本体の小型化は可能であるが、ギヤのバックラッシュやベルト伸縮による印刷ドラムとロータリーエンコーダのスリットの位相差が発生するため好ましくない。
【００１０】
また、上記のようにロータリーエンコーダのパルス信号に基づいて印刷ドラムの回転角度情報を検出する際には、印刷ドラムの所定の位置に設けられた突起を装置本体に設けられた光学センサにより検出することにより回転角度情報の回転基準位置が検出されるが、印刷ドラムに設けられるロータリーエンコーダのスリットの位相は印刷ドラム毎にずれが生じるため、ロータリーエンコーダのパルス信号の位相に対する上記回転基準位置の検出タイミングが印刷ドラム毎に異なることになる。したがって、回転角度情報として検出されるロータリーエンコーダのパルス信号の数が同じであっても、実際に印刷ドラムが回転した角度は印刷ドラム毎で最大１パルス信号分のずれがあり、全ての印刷ドラムについて適切な印刷位置合わせを行うことができない。また、ロータリーエンコーダのパルス信号の位相に対する上記回転基準位置の検出タイミングを全ての印刷ドラムについて同じになるようにすればよいが、組立用の位置決め治具が必要となり、組み立て工数が増大する。また、ロータリーエンコーダとして高分解能の円盤スリットを用いても改善できるが、上述したように、このような高分解能の円盤スリットは実用上望ましくない。
【００１１】
また、上記のように回転基準位置は光学センサで検出され、その光学センサで検出された信号に基づいてＣＰＵ、ＤＳＰまたはＡＳＩＣなどの制御処理装置によりロータリーエンコーダのパルス信号が０から計測されるが、上記のような光学センサの応答速度や制御処理装置の処理速度には、数ｎｓ〜数十μｓの遅延と数％のばらつきがあるため、同一の印刷ドラムにおいても、ロータリーエンコーダのパルス信号の位相に対する回転基準位置の信号検出のタイミングにばらつきが生じる。したがって、たとえば、光学センサにより検出されるパルス信号のエッジとロータリーエンコーダのパルス信号のエッジとが近くなるようにロータリーエンコーダが設置されてしまった場合には、回転角度情報として計測されたパルス信号の数に１パルス分のばらつきが発生し、常に適切な印刷位置合わせを行うことができない。
【００１２】
また、上記のように搬送ローラの回転速度を制御して印刷位置合わせを行う場合には、より高精度な印刷位置合わせを行うためには、より高精度に搬送ローラの回転速度を制御する必要がある。
【００１３】
上記のようにして印刷ドラムの回転角度情報に基づいて搬送ローラの回転速度を制御する場合には、印刷用紙の先端が検出されたときの印刷ドラムの回転角度情報に基づいて搬送ローラの目標回転速度が算出され、搬送ローラの回転速度がその目標回転速度となるように制御される。そして、上記のような制御を行う場合には、たとえば、搬送ローラに設けられたロータリーエンコーダにより搬送ローラの実際の回転速度が計測され、その計測された回転速度と目標回転速度との差分を用いて制御されるが、上記のようにロータリーエンコーダにより回転速度を計測する場合には、その測定精度はロータリーエンコーダの分解能に依存するため、より高精度な回転速度の計測が困難であり、より高精度な搬送ローラの回転速度の制御が困難である。
【００１４】
本発明は、上記事情に鑑み、ドラムを用いた画像形成装置において、ドラムの回転速度のばらつきや回転速度の変更に影響を受けることなく、また、ロータリーエンコーダなどの印刷ドラムの回転情報を検出する機構の分解能を高めることなく高精度な印刷位置合わせを行うことができる画像形成装置を提供することを目的とするものである。
【課題を解決するための手段】
【００１５】
本発明の画像形成装置は、印刷ドラムと、印刷ドラムの所定の基準位置からのドラム回転角度情報をパルス信号として検出するドラム回転情報検出手段と、印刷ドラムまで印刷用紙を搬送する搬送ローラと、搬送ローラを駆動する搬送モータと、搬送ローラにより搬送途中の印刷用紙の先端が所定位置にきたことを検出する用紙先端検出手段と、ドラム回転情報検出手段により検出されたドラム回転角度情報と用紙先端検出手段により検出された先端検出情報とに基づいて搬送ローラにより搬送された印刷用紙の印刷開始位置と印刷ドラムの印面開始位置とが一致するように搬送モータの回転速度を制御するモータ制御手段とを備えた孔版印刷装置において、ドラム回転情報検出手段により検出されるパルス信号の周期よりも短い周期のドラム用カウンタパルス信号を発生するとともに、その発生したドラム用カウンタパルス信号の数を計測するドラム用カウンタ手段と、用紙先端検出手段により印刷用紙の先端が検出される前に最後にドラム回転情報検出手段により検出されたパルス信号の検出時点から用紙先端検出手段により印刷用紙の先端が検出された時点までのドラム用カウンタパルス信号の数または用紙先端検出手段により印刷用紙の先端が検出された時点からその先端検出後最初にドラム回転情報検出手段により検出されたパルス信号の検出時点までのドラム用カウンタパルス信号の数を取得するとともに、ドラム回転情報検出手段により検出されたパルス信号の一周期に応じたドラム用カウンタパルス信号の数を取得するカウンタ情報取得手段とを有し、モータ制御手段が、印刷用紙の先端が検出される前に最後にドラム回転情報検出手段により検出されたパルス信号の検出時点から用紙先端検出手段により用紙先端が検出された時点までのドラム用カウンタパルス信号の数または用紙先端検出手段により印刷用紙の先端が検出された時点からその先端検出後最初にドラム回転情報検出手段により検出されたパルス信号の検出時点までのドラム用カウンタパルス信号の数とドラム回転情報検出手段により検出されたパルス信号の一周期に応じたドラム用カウンタパルス信号の数との比率、および用紙先端検出手段により印刷用紙の先端が検出された時点までにドラム回転情報検出手段により検出されたパルス信号の数または用紙先端検出手段により印刷用紙の先端が検出された時点からその先端検出後最初にドラム回転情報検出手段により検出されたパルス信号の検出時点までに検出されたパルス信号の数に基づいて搬送モータの回転速度を制御するものであることを特徴とする。
【００１６】
また、上記画像形成装置においては、ドラム回転情報検出手段を、印刷ドラムが所定の基準位置まで回転した後に最初に検出するパルス信号または印刷ドラムが所定の基準位置まで回転する直前に検出するパルス信号を基準としてドラム回転角度情報を検出するものとし、カウンタ情報取得手段を、印刷ドラムが所定の基準位置まで回転した時点からドラム回転情報検出手段により最初のパルス信号が検出された時点までのドラム用カウンタパルス信号の数または印刷ドラムが所定の基準位置まで回転する前に最後にドラム回転情報検出手段によりパルス信号が検出された時点から印刷ドラムが所定の基準位置まで回転した時点までのドラム用カウンタパルス信号の数をさらに取得するものとし、モータ制御手段を、印刷ドラムが所定の基準位置まで回転した時点からドラム回転情報検出手段により最初のパルス信号が検出された時点までのドラム用カウンタパルス信号の数または印刷ドラムが所定の基準位置まで回転する前に最後にドラム回転情報検出手段によりパルス信号が検出された時点から印刷ドラムが所定の基準位置まで回転した時点までのドラム用カウンタパルス信号の数とドラム回転情報検出手段により検出されたパルス信号の一周期に応じたドラム用カウンタパルス信号の数との比率、印刷用紙の先端が検出される前に最後にドラム回転情報検出手段により検出されたパルス信号の検出時点から用紙先端検出手段により用紙先端が検出された時点までのドラム用カウンタパルス信号の数または用紙先端検出手段により印刷用紙の先端が検出された時点からその先端検出後最初にドラム回転情報検出手段により検出されたパルス信号の検出時点までのドラム用カウンタパルス信号の数とドラム回転情報検出手段により検出されたパルス信号の一周期に応じたドラム用カウンタパルス信号の数との比率、および用紙先端検出手段により印刷用紙の先端が検出された時点までにドラム回転情報検出手段により検出されたパルス信号の数または用紙先端検出手段により印刷用紙の先端が検出された時点からその先端検出後最初にドラム回転情報検出手段により検出されたパルス信号の検出時点までに検出されたパルス信号の数に基づいて搬送モータの回転速度を制御するものとすることができる。
【００１７】
また、搬送ローラのローラ回転角度情報をパルス信号として検出するローラ回転情報検出手段と、ローラ回転情報検出手段により検出されるパルス信号の周期よりも短い周期のローラ用カウンタパルス信号を発生するとともに、その発生したローラ用カウンタパルス信号の数を計測するローラ用カウンタ手段とを有するものとし、カウンタ情報取得手段を、用紙先端検出手段による印刷用紙の先端の検出以後の所定の時点の前に最後にローラ回転情報検出手段により検出されたパルス信号の検出時点から上記所定の時点までのローラ用カウンタパルス信号の数または用紙先端検出手段による印刷用紙の先端の検出以後の所定の時点からその所定の時点後最初にローラ回転情報検出手段により検出されたパルス信号の検出時点までのローラ用カウンタパルス信号の数を取得するとともに、ローラ回転情報検出手段により検出されたパルス信号の一周期に応じたローラ用カウンタパルス信号の数をさらに取得するものとし、モータ制御手段を、印刷用紙の先端が検出される前に最後にドラム回転情報検出手段により検出されたパルス信号の検出時点から用紙先端検出手段により用紙先端が検出された時点までのドラム用カウンタパルス信号の数または用紙先端検出手段により印刷用紙の先端が検出された時点からその先端検出後最初にドラム回転情報検出手段により検出されたパルス信号の検出時点までのドラム用カウンタパルス信号の数とドラム回転情報検出手段により検出されたパルス信号の一周期に応じたドラム用カウンタパルス信号の数との比率、および用紙先端検出手段により印刷用紙の先端が検出された時点までにドラム回転情報検出手段により検出されたパルス信号の数または用紙先端検出手段により印刷用紙の先端が検出された時点からその先端検出後最初にドラム回転情報検出手段により検出されたパルス信号の検出時点までに検出されたパルス信号の数に基づいて搬送モータの上記所定の時点における目標回転角度を算出するとともに、上記所定の時点前に最後にローラ回転情報検出手段により検出されたパルス信号の検出時点から上記所定の時点までのローラ用カウンタパルス信号の数または上記所定の時点からその所定の時点後最初にローラ回転情報検出手段により検出されたパルス信号の検出時点までのローラ用カウンタパルス信号の数とローラ回転情報検出手段により検出されたパルス信号の一周期に応じたローラ用カウンタパルス信号の数との比率、および上記所定の時点までにローラ回転情報検出手段により検出されたパルス信号の数または上記所定の時点後最後にローラ回転情報検出手段により検出されたパルス信号の検出時点までに検出されたパルス信号の数に基づいて上記所定の時点における実測回転角度を算出し、実測回転角度が目標回転角度に近づくように上記所定の時点以後の搬送モータの回転速度を制御するものとすることができる。
【００１８】
また、搬送ローラのローラ回転角度情報をパルス信号として検出するローラ回転情報検出手段と、ローラ回転情報検出手段により検出されるパルス信号の周期よりも短い周期のローラ用カウンタパルス信号を発生するとともに、その発生したローラ用カウンタパルス信号の数を計測するローラ用カウンタ手段とを有するものとし、カウンタ情報取得手段を、用紙先端検出手段による印刷用紙の先端の検出以後の所定の時点の前に最後にローラ回転情報検出手段により検出されたパルス信号の検出時点から上記所定の時点までのローラ用カウンタパルス信号の数または用紙先端検出手段による印刷用紙の先端の検出以後の所定の時点からその所定の時点後最初にローラ回転情報検出手段により検出されたパルス信号の検出時点までのローラ用カウンタパルス信号の数を取得するとともに、ローラ回転情報検出手段により検出されたパルス信号の一周期に応じたローラ用カウンタパルス信号の数をさらに取得するものとし、モータ制御手段を、印刷ドラムが所定の基準位置まで回転した時点からドラム回転情報検出手段により最初のパルス信号が検出された時点までのドラム用カウンタパルス信号の数または印刷ドラムが所定の基準位置まで回転する前に最後にドラム回転情報検出手段によりパルス信号が検出された時点から印刷ドラムが所定の基準位置まで回転した時点までのドラム用カウンタパルス信号の数とドラム回転情報検出手段により検出されたパルス信号の一周期に応じたドラム用カウンタパルス信号の数との比率、印刷用紙の先端が検出される前に最後にドラム回転情報検出手段により検出されたパルス信号の検出時点から用紙先端検出手段により用紙先端が検出された時点までのドラム用カウンタパルス信号の数または用紙先端検出手段により印刷用紙の先端が検出された時点からその先端検出後最初にドラム回転情報検出手段により検出されたパルス信号の検出時点までのドラム用カウンタパルス信号の数とドラム回転情報検出手段により検出されたパルス信号の一周期に応じた前記ドラム用カウンタパルス信号の数との比率、および用紙先端検出手段により印刷用紙の先端が検出された時点までにドラム回転情報検出手段により検出されたパルス信号の数または用紙先端検出手段により印刷用紙の先端が検出された時点からその先端検出後最初にドラム回転情報検出手段により検出されたパルス信号の検出時点までに検出されたパルス信号の数に基づいて搬送モータの上記所定の時点における目標回転角度を算出するとともに、上記所定の時点前に最後にローラ回転情報検出手段により検出されたパルス信号の検出時点から上記所定の時点までのローラ用カウンタパルス信号の数または上記所定の時点からその所定の時点後最初にローラ回転情報検出手段により検出されたパルス信号の検出時点までのローラ用カウンタパルス信号の数とローラ回転情報検出手段により検出されたパルス信号の一周期に応じたローラ用カウンタパルス信号の数との比率、および上記所定の時点までにローラ回転情報検出手段により検出されたパルス信号の数または上記所定の時点後最後にローラ回転情報検出手段により検出されたパルス信号の検出時点までに検出されたパルス信号の数に基づいて上記所定の時点における実測回転角度を算出し、実測回転角度が目標回転角度に近づくように上記所定の時点以後の搬送モータの回転速度を制御するものとすることができる。
【００１９】
ここで、上記「印刷ドラム」とは、印刷用のドラムのことを意味し、たとえば、孔版印刷装置における製版済孔版原紙の券着される孔版ドラムやＰＰＣの感光ドラムなどがある。
【００２０】
また、上記「ドラム用カウンタ手段」と上記「ローラ用カウンタ手段」としては、同一のカウンタ手段を用いることが望ましい。
【発明の効果】
【００２１】
本発明の画像形成装置によれば、ドラム回転情報検出手段により検出されるパルス信号とそのパルス信号よりも短い周期のドラム用カウンタパルス信号とを用いて印刷ドラムの回転角度情報をより高精度に検出するようにしたので、搬送モータの回転速度を高精度に設定することができ、高精度な印刷位置合わせを行うことができる。
【００２２】
また、上記画像形成装置において、ドラム用カウンタパルス信号を用いて印刷ドラムの回転基準位置を検出するようにした場合には、回転基準位置を高精度に検出することができ、その回転基準位置とドラム回転角度情報のパルス信号の位相との関係も考慮して実際の印刷ドラムの回転角度を算出することができるので、より適切な搬送ローラの回転速度を設定することができ、より適切な印刷位置合わせを行うことができる。
【００２３】
また、ドラム回転情報検出手段により検出されるパルス信号とドラム用カウンタパルス信号とを用いて所定の時点における搬送モータの目標回転角度を算出するとともに、ローラ回転情報検出手段により検出されたパルス信号とそのパルス信号の周期よりも短い周期のローラ用カウンタパルス信号の数とを用いて搬送モータの実測回転角度を算出し、実測回転角度が目標回転角度に近づくように所定の時点以後の搬送モータの回転速度を制御するようにした場合には、搬送ローラの実測回転角度をより高精度に算出することができ、上記所定の時点以後の搬送モータの回転速度をより高精度に設定することができるので、より高精度な印刷位置合わせを行うことができる。
【発明を実施するための最良の形態】
【００２４】
以下、図面を参照して本発明の画像形成装置の第１の実施形態を用いた孔版印刷装置について詳細に説明する。図１は本孔版印刷装置の概略構成を示す図、図２は本孔版印刷装置の駆動制御系を示すブロック図である。
【００２５】
本孔版印刷装置は、図１に示すように、円筒形状をした印刷ドラム１０と、印刷ドラム１０の外表面に圧接されこの印刷ドラム１０と平行に回転可能に配置されたプレスローラ１１と、給紙台（図示省略）に載置された印刷用紙Ｓ１を印刷ドラム１回転毎に１枚ずつ繰り出して送り出すスクレーパローラ２１，ピックアップローラ２２、サバキ板２３および重送検出スイッチ２４を備えた１次給紙部２０と、１次給紙部２０から繰り出された印刷用紙を印刷ドラム１０とプレスローラ１１との間に挿入する搬送ローラ（以下レジストローラという）３１，３２およびガイド板３３，３４を備えた２次給紙部３０と、印刷ドラム１０とプレスローラ１１との間に挟圧搬送され印刷が施された印刷用紙Ｓ２を排紙台（図示省略）に排紙する排紙部４０としてサクションローラ４１，４２およびサクションベルト４３が備えられている。
【００２６】
印刷ドラム１０は、ベルトなどの伝達手段を介してドラムモータ（図示省略）により回転するものであり、印刷ドラム１０の回転軸の外周円上には、図２に示すように、印刷ドラム１０のドラム回転角度情報を検出するドラムエンコーダ５１および光センサ５２を備えたドラム回転情報検出手段５０が設けられている。ドラム回転情報検出手段５０は、ドラムエンコーダ５１および光センサ５２によりパルス信号を検出し、そのパルス信号のカウント数を印刷ドラム１０のドラム回転角度情報として検出するものである。さらに、図２に示すように、印刷ドラム１０の外周面の特定位置には突起１２が設けられており、装置本体側には突起１２を検出することにより印刷ドラムの回転基準位置を検出する光学センサ１３が設けられている。この光学センサ１３による回転基準位置の検出とドラム回転情報検出手段５０による回転情報の検出により印刷ドラム１０の回転角度情報を求めることができる。
【００２７】
レジストローラ３１，３２はそれぞれの軸両端部にて歯車を介して噛合することにより、互いに逆向きに連動して回転するように構成されており、また、レジストローラ３１，３２の近傍には、図２に示すように、これらを回転させるための搬送モータ（以下レジストモータという）３５が設置されている。なお、本実施形態においては、上記のような構成のレジストローラ３１，３２を利用するようにしたが、たとえば、一方のレジストローラを駆動し、他方のレジストローラはベアリング軸受けで加圧することで一方のレジストローラに従動回転させるような構成としてもよい。
【００２８】
また、レジストモータ３５の駆動軸の外周円上には、図２に示すように、レジストモータ３５のモータ回転角度情報を検出するレジストエンコーダ３６および光センサ３７を備えたローラ回転情報検出手段３８が備えられ、レジストモータ３５のモータ回転角度情報を検出することにより等価的にレジストローラ３１，３２のローラ回転角度情報を検出するようになっている。なお、レジストモータ３５としてはサーボモータを用いるのが好ましい。
【００２９】
また、図１および図２に示すように、レジストローラ３１，３２とプレスローラ１１との間には、レジストローラ３１，３２により搬送された印刷用紙の先端を検出するレジストセンサ６０が設けられている。レジストセンサ６０としては、透過型や反射型のフォトセンサを利用するようにすればよい。
【００３０】
また、本孔版印刷装置は、図２に示すように、レジストセンサ６０により検出された先端検出情報と、ドラム回転情報検出手段５０により検出したドラム回転角度情報と、レジストローラ３１，３２のローラ回転角度情報に基づいてレジストモータ３５を駆動制御する駆動制御手段１００と、所定の周波数のドラム用カウンタパルス信号を発生するとともに、その発生したドラム用カウンタパルス信号の数を計測するドラム用カウンタ手段１０１とを備えている。
【００３１】
駆動制御手段１００は、ＣＰＵ、ＤＳＰまたはＡＳＩＣなどで構成され、ドラム用カウンタ手段１０１において計測されたドラム用カウンタパルス信号の数を取得するカウンタ情報取得手段１０２と、カウンタ情報取得手段１０２において取得されたドラム用カウンタパルス信号の数に基づいてレジストモータ３５の目標回転速度を算出し、レジストモータ３５の回転速度が上記目標回転速度となるようにレジストモータ３５の回転速度を制御するモータ制御手段１０３とを備えている。なお、レジストモータ３５の具体的な駆動制御方法については後述する。
【００３２】
ドラム用カウンタ手段１０１は、ドラム回転情報検出手段５０から出力されるドラム回転角度情報であるパルス信号よりも高い周波数のパルス信号をドラム用カウンタパルス信号として発生し、その数を計測するものである。
【００３３】
次に、上記第１の実施形態の孔版印刷装置の作用について説明する。
【００３４】
まず、図示省略した製版部において孔版原紙に製版処理が施され、その製版済孔版原紙が印刷ドラム１０に巻着される。
【００３５】
そして、製版済孔版原紙の巻着された印刷ドラム１０が矢印Ａ方向に所定の速度で回転するとともに、給紙台に載置された印刷用紙Ｓ１の最上面から、ピックアップローラ２２，スクレーパローラ２１およびサバキ板２３により１枚の印刷用紙が繰り出され、ガイド板３３に案内されつつ、レジストローラ３１，３２まで搬送される。なお、このとき重送された場合には、重送検出スイッチ２４により検出される。そして、所定の速度で回転するレジストローラ３１，３２の間に挟まれ、レジストローラ３１，３２の回転により印刷ドラム１０およびプレスローラ１１との接点に向かってさらに搬送される。
【００３６】
ここで、本孔版印刷装置においては、印刷ドラム１０の印面開始位置が印刷ドラム１０とプレスローラ１１との接点にきたときに、印刷用紙の印刷開始位置が印刷ドラム１０とプレスローラ１１との接点にくるようにレジストローラ３１，３２の回転速度が制御される。なお、本実施形態において印刷ドラム１０の印面開始位置とは、印刷ドラム１０において予め設定された位置としてもよいし、製版済孔版原紙内における所定の印面範囲の先端としてもよい。また、印刷開始位置は印刷用紙内における所定の印刷範囲の先端としてもよい。
【００３７】
具体的には、ドラム回転情報検出手段５０により検出されるパルス信号のカウント数ＤｆｇがＤｆｇ＝５６になったときに印刷ドラム１０の印面開始位置が印刷ドラム１０とプレスローラ１１との接点にくるように設定されている。なお、Ｄｆｇは、印刷ドラム１０に設置された突起１２が光学センサ１３により検出されたときを基準として計測されたパルス信号のカウント数である。
【００３８】
そして、レジストローラ３１，３２は、Ｄｆｇ＝０のときに回転を開始し、印刷ドラム１０の印面開始位置が印刷ドラム１０とプレスローラ１１との接点にきたときに、つまり、Ｄｆｇ＝５６のときに印刷用紙の印刷開始位置が上記接点にくるようにその回転速度が制御される。具体的な制御方法を以下に説明する。なお、レジストモータ３５の回転速度の制御とレジストローラ３１，３２の回転速度の制御とは等価なものであるため、以下レジストモータ３５の回転速度の制御は、レジストローラ３１，３２の回転速度の制御として説明する。
【００３９】
本孔版印刷装置においては、図３に示すように、レジストローラ３１，３２の回転速度がモータ制御手段１０３により制御される。図３は、レジストローラ３１，３２の回転速度（線速度）と印刷ドラム１０の回転速度（線速度）との比と、ドラム回転情報検出手段５０により検出されるパルス信号のカウント数Ｄｆｇとの関係を示す図である。速度比「１」はレジストローラ３１,３２の線速度と印刷ドラム１０の線速度とが同じという意味である。
【００４０】
図３に示すように、レジストローラ３１,３２は、まず、Ｄｆｇ＝３０において印刷ドラム１０の回転速度とレジストローラ３１,３２の回転速度が同じになるような一定の加速度で加速し（領域Ｉ）、レジストセンサ６０により印刷用紙の先端が検出されたときに加速を一旦終了して一定の速度で回転し（領域ＩＩ）、そして、その後、印刷ドラム１０の回転速度と同じ回転速度となるまで再び上記一定の加速度で加速し（領域ＩＩＩ）、そして、その後、印刷ドラム１０と同じ回転速度で回転する（領域ＩＶ）ように制御される。なお、印刷ドラム１０の回転速度は、予め設定された一定の回転速度である。
【００４１】
ここで、レジストセンサ６０により印刷用紙の先端が検出されたときのＤｆｇをＮ、一定速度で印刷用紙を搬送している間（領域ＩＩ）のＤｆｇをＸとすると、上記領域Ｉ〜ＩＶにおけるレジストローラ３１，３２による印刷用紙の搬送距離[ｍｍ]は、以下の式で算出することができる。なお、本孔版印刷装置においては、ドラム回転情報検出手段５０により検出されるパルス信号のカウント数Ｄｆｇが３００になったときに印刷ドラム１０が１回転するようになっており、また、印刷ドラムの径は１７３ｍｍである。
【数１】
2006103172.tif 000003
【００４２】
そして、本孔版印刷装置においては、レジストセンサ６０と、印刷ドラム１０とプレスローラ１１との接点との距離Ｌｐ（図１参照）が５４．３５ｍｍとなるように印刷ドラム１０およびレジストセンサ６０が設置されているので、上式（２）〜（４）で算出される印刷用紙の搬送距離の総計がＬｐ（５４．３５ｍｍ）となるようにすればよい。
【００４３】
よって、
【数２】
2006103172.tif 000004
【００４４】
となり、上式（５）よりＸは、
【数３】
2006103172.tif 000005
【００４５】
となる。
【００４６】
したがって、レジストセンサ６０により印刷用紙の先端が検出されたときに、ドラム回転情報検出手段５０においてカウントされているＤｆｇの値Ｎを取得し、その値Ｎと上式（６）とによりＸを算出し、これらの値に基づいてレジストローラ３１，３２の回転速度が制御される。しかしながら、たとえば、Ｄｆｇ＝２３のときにレジストセンサ６０が印刷用紙の先端を検出した場合には、Ｎ＝２３となり上式（６）よりＸ＝９．３６となり、整数とならない。したがって、上記のように値ＮおよびＸに基づいてレジストローラ３１，３２の回転速度を制御する場合には、Ｘの値は整数である９にされ、図４に示すような搬送距離の配分でレジストローラ３１，３２の回転速度が制御される。上式（２）〜（４）により領域ＩＩ〜ＩＶの各領域における搬送距離を求めて加算すると、
１２．５０ｍｍ（領域ＩＩ）＋１１．２０ｍｍ（領域ＩＩＩ）＋３０．８０ｍｍ（領域ＩＶ）＝５４．５０ｍｍ
となり、目標値の５４．３５ｍｍに対して０．１５ｍｍ長くなってしまう。
【００４７】
また、Ｎ＝２３の場合、領域Ｉにおけるレジストローラ３１,３２の搬送距離は、上式（１）より１５．９７ｍｍであり、Ｎ＝２４の場合、同じ領域Ｉにおけるレジストローラ３１,３２の搬送距離は上式（１）より１７．３９ｍｍであり、その差は１．４２ｍｍである。したがって、レジストセンサ６０が印刷用紙の先端を検出するタイミングとドラム回転情報検出手段５０がパルス信号をカウントするタイミングによっては、目標値からさらに１ｍｍ以上ずれることになる。
【００４８】
したがって、本孔版印刷装置においては、ドラム回転情報検出手段５０により検出されるパルス信号の周波数よりも高い周波数のドラム用カウンタパルス信号を用いてレジストローラ３１,３２の回転速度の制御を行う。具体的には、たとえば、印刷ドラム１０の回転速度を１５０ｒｐｍとし、３００パルス/１回転とした場合には、ドラム回転情報検出手段５０が検出するパルス信号の周波数は１５０×３００/６０[ｓ]＝７５０Ｈｚになる。したがって、ドラム用カウンタ手段１０１としては、７５０Ｈｚに対して十分高い、４０ＭＨｚのドラム用カウンタパルス信号を発生し、これを計測するものを用いる。
【００４９】
そして、駆動制御手段１００のカウンタ情報取得手段１０２によりドラム回転情報検出手段５０により検出されるパルス信号の立上りにおけるドラム用カウンタ手段１０１のカウント数を取得するとともに、レジストセンサ６０により印刷用紙の先端が検出されたときにおけるドラム用カウンタ手段１０１のカウント数を取得する。そして、たとえば、ドラム回転情報検出手段５０により検出されるパルス信号のタイミングとレジストセンサ６０により印刷用紙の先端が検出されるタイミングとが、図５に示すようなタイミングとなった場合には、レジストセンサ６０により印刷用紙の先端が検出されたときのドラム回転情報検出手段５０のパルス信号の周期の１つ前のパルス信号の周期の一周期に応じたドラム用カウンタパルス信号の数、つまり、ドラム回転情報検出手段５０により検出された２２個目のパルス信号の立上りから２３個目のパルス信号の立上りまでにドラム用カウンタ手段１０１によりカウントされたドラム用カウンタパルス信号の数α１を算出するとともに、２３個目のパルス信号の立上りから印刷用紙の先端の検出までにドラム用カウンタ手段１０１によりカウントされたドラム用カウンタパルス信号の数β１を算出する。
【００５０】
α１＝１２２６７０６−１１７３３６３＝５３３４３
β１＝１２６００２９−１２２６７０６＝３３３２３
そして、レジストセンサ６０が印刷用紙の先端を検出したときの印刷ドラム１０の新たな回転角度情報Ｎが以下のようにして算出される。なお、本実施形態においては、印刷用紙の先端が検出される前に最後に検出されたパルス信号の検出時点から印刷用紙の先端が検出された時点までのドラム用カウンタパルス信号の数β１と、印刷用紙の先端が検出された時点までに検出されたパルス信号の数「２３」とに基づいてＮを算出するようにしたが、これに限らず、印刷用紙の先端が検出された時点からその先端検出後最初に検出されたパルス信号の検出時点までのドラム用カウンタパルス信号の数（１２８００２９−１２６００２９＝２００００）と、印刷用紙の先端が検出された時点からその先端検出後最初に検出されたパルス信号の検出時点までに検出されたパルス信号の数「２４」とに基づいてＮを算出するようにしてもよい。また、パルス信号数「２４」とβ１、パルス信号数「２３」とドラム用カウンタパルス信号２００００とを用いてＮを算出するようにしてもよい。
【数４】
2006103172.tif 000006
【００５１】
このＮの値を上式（６）のＮに代入して算出すると、
【数５】
2006103172.tif 000007
【００５２】
となる。
【００５３】
上記のようにして算出されたＮとＸを式（２）〜（４）に代入して各領域における搬送距離を算出すると、
【数６】
2006103172.tif 000008
【００５４】
となり、これらを合計すると５４．３５ｍｍとなり、Ｌｐの値と一致することになる。
【００５５】
したがって、上記Ｘ、Ｎに基づいて図６に示すようなタイミングでレジストローラ３１,３２の回転速度を制御すればよいことになる。つまり、レジストセンサ６０により印刷用紙の先端が検出されたときに加速を終了して一定の回転速度でレジストローラ３１,３２を回転させ、Ｄｆｇが３１．６１４になったときに再加速し、Ｄｆｇが３７．９８９になったときに再加速を終了してそのままの回転速度でレジストローラ３１,３２を回転させるようにすればよい。
【００５６】
Ｄｆｇが３１．６１４になったときのタイミングを取得する方法としては、たとえば、図７に示すように、ドラム回転情報検出手段５０により検出された３０個目のパルス信号の立上りから３１個目のパルス信号の立上りまでにドラム用カウンタ手段１０１によりカウントされたドラム用カウンタパルス信号の数α２を以下のようにして算出し、
α２＝１６５３３７７−１６０００２９＝５３３４８
このα２に基づいて、以下のようにして３１個目のパルス信号の立上りからＤｆｇが３１．６１４になったときまでのドラム用カウンタパルス信号の数β２を算出し、
β２＝α２×（３１．６１４−３１）＝３２７５６
このβ２に基づいて、以下のようにＤｆｇ＝３１．６１４のときのドラム用カウンタ手段１０１のカウント数を算出し、
１６５３３７７＋３２７５６＝１６８６１３２
ドラム用カウンタ手段１０１によるドラム用カウンタパルス信号のカウント数が１６８６１３２になったときに、Ｄｆｇが３１．６１４になったとしてレジストローラ３１,３２の回転速度を再加速させるように制御すればよい。
【００５７】
Ｄｆｇが３７．９８９になったときのタイミングを取得する方法としては、たとえば、図８に示すように、ドラム用回転情報検出手段５０により検出された３６個目のパルス信号の立上りから３７個目のパルス信号の立上りまでにドラム用カウンタ手段１０１によりカウントされたドラム用カウンタパルス信号の数α３を以下のようにして算出し、
α３＝１９７３３５８−１９２００３０＝５３３２８
このα３に基づいて、以下のようにして３７個目のパルス信号の立上りからＤｆｇが３７．９８９になったときまでのドラム用カウンタパルス信号の数β３を算出し、
β３＝α３×（３７．９８９−３７）＝５２７４２
このβ３に基づいて、以下のようにＤｆｇ＝３７．９８９のときのドラム用カウンタ手段１０１によるカウント数を算出し、
１９７３３５８＋５２７４２＝２０２６１００
ドラム用カウンタ手段１０１によるドラム用カウンタパルス信号のカウント数が２０２６１００になったとき、Ｄｆｇが３７．９８９になったとしてレジストローラ３１,３２の回転速度の加速を終了し、そのままの回転速度で回転するように制御すればよい。
【００５８】
なお、たとえば、印刷ドラム１０の回転速度が速くなってドラム用カウンタ手段１０１によるカウント数が２０２６１００になるより早くＤｆｇ＝３８のパルスが発生してしまった場合には、上記のようにして算出したカウント数がドラム用カウンタ手段１０１によりカウントされる前に、レジストローラ３１,３２の加速を終了してそのままの回転速度で回転するようにしてもよい。つまり、ドラム用カウンタ手段１０１によるカウント数とドラム回転情報検出手段５０のパルス信号のカウント数とのいずれか一方に基づいてレジストローラ３１,３２の回転速度を駆動制御できるよう、駆動制御の切り替えができるようにすることが望ましい。
【００５９】
また、上記第１の実施形態のように、ドラム用カウンタパルス信号の値が各領域の境界における数値となった時点においてタイミングパルス信号を発生させ、そのタイミングパルス信号に基づいてモータ制御手段１０３がレジストローラ３１，３２の回転速度を切り替えるようにしてもよいが、上記のようなタイミング信号を発生する回路を設けると回路規模が大きくなってしまうため、たとえば、モータ制御手段１０３にタイマを設け、このタイマを利用して回転速度を制御するようにしてもよい。具体的には、上記実施形態のように、ドラム用カウンタパルス信号を４０ＭＨｚとした場合には、図７に示すα２の時間間隔は５３３４８パルス＝１３３３．７μｓ、β２の時間間隔は３２７５６パルス＝８１９μｓとなるので、Ｄｆｇ＝３１が３１となった時点からタイマにより時間を計測し、８１９μｓ経過時に回転速度を切り替えるようにすればよい。また、Ｄｆｇが３１になった時点において図７に示す１６８６１３２のカウント数を上記と同様にして求め、その後、タイマを用いて１００μｓ毎にドラム用カウンタパルス信号のカウント数を計測し、その計測されたカウント数とカウント数１６８６１３２とを比較し、計測されたカウント数が１６８６１３２以上となった時点において回転速度を切り替えるようにしてもよい。
【００６０】
また、駆動制御手段１００としては、図９に示すような、モータ制御手段１０３を備えたものとすることが望ましい。モータ制御手段１０３は、カウンタ情報取得手段１０２から出力されたドラム用カウンタパルス信号の数に基づいて上記領域Ｉ〜ＩＶの各領域を決定し、その各領域における目標回転速度を演算する目標速度演算部１０３ａと、目標速度演算部１０３ａにおいて算出された目標回転速度からローラ回転情報検出手段３８により検出されたレジストローラ３１,３２の実回転速度を減算する減算手段１０３ｂと、減算手段１０３ｂにより算出された値に基づいてＰＩＤ制御信号を出力するＰＩＤ制御部１０３ｃと、ＰＩＤ制御部１０３ｃから出力されたＰＩＤ信号に基づいてレジストモータ３５に制御電圧信号としてＰＷＭ信号を出力する制御電圧出力部１０３ｄと、ローラ回転情報検出手段３８により検出されたパルス信号に基づいてレジストローラ３１,３２の上記実回転速度を計測する実速度計測部１０３ｅとを備えたものである。上記のようなモータ制御手段１０３によりレジストローラ３１,３２の回転速度を制御することにより高精度な回転速度制御を行うことができる。
【００６１】
上記第１の実施形態の孔版印刷装置によれば、ドラム回転情報検出手段５０により検出されるパルス信号の周期よりも短い周期のドラム用カウンタパルス信号を発生するとともに、その発生したドラム用カウンタパルス信号の数を計測し、ドラム回転情報検出手段５０により検出されたパルス信号の一周期に応じたドラム用カウンタパルス信号の数を取得するとともに、印刷ドラム１０が所定の基準位置まで回転した時点からレジストセンサ６０により用紙先端が検出された時点までのドラム用カウンタパルス信号の数を取得し、これらのドラム用カウンタパルス信号の数との比率に基づいてレジストローラ３１，３２の回転速度を制御するようにしたので、ドラム用カウンタパルス信号の比率を求めることにより印刷ドラム１０の回転角度情報をより高精度に検出することができるので、レジストローラ３１，３２の回転速度を高精度に設定することができ、高精度な印刷位置合わせを行うことができる。
【００６２】
なお、上記第１の実施形態の孔版印刷装置においては、ドラム回転情報検出手段５０のパルス信号の一周期に応じたドラム用カウンタパルス信号の数を取得するのに、レジストセンサ６０により印刷用紙の先端が検出されたときのドラム回転情報検出手段５０のパルス信号の周期の１つ前のパルス信号の周期を利用するようにしたが、これに限らず、もっと前のパルス信号の周期を利用するようにしてもよいし、印刷用紙の先端が検出されたあとのパルス信号の周期を利用するようにしてもよい。また、印刷用紙の先端が検出されたときのパルス信号の周期を利用するようにしてもよい。
【００６３】
次に、本発明の画像形成装置の第２の実施形態を利用した孔版印刷装置について説明する。
【００６４】
第２の実施形態の孔版印刷装置は、第１の実施形態の孔版印刷装置と印刷ドラム１０の回転基準位置の検出の方法が異なるものである。なお、その他の構成は上記第１の実施形態の孔版印刷装置と同様である。
【００６５】
上記第１の実施形態の孔版印刷装置においては、上述したように印刷ドラム１０に設けられた突起１２を光学センサ１３により検出することにより印刷ドラム１０の回転基準位置を検出し、その検出信号に応じてＤｆｇを０としてドラム回転情報検出手段５０のパルス信号をカウントするようにしている。具体的には、ドラム回転情報検出手段５０においては、ドラムエンコーダ５１のエッジを検出して図９に示すようなパルス信号を発生させ、このパルス信号の立上りをカウントすることにより印刷ドラム１０のドラム回転角度情報を検出している。そして、図１０に示すように、突起１２および光学センサ１３により検出されたパルス信号の立上りを検出し、その立上りの検出後に最初に回転情報検出手段５０により検出されるパルス信号の立上りによりパルス信号のカウント数を０にしている。
【００６６】
しかしながら、厳密には、ドラム回転情報検出手段５０において検出されるパルス信号と突起１２および光学センサ１３により検出されるパルス信号の発生タイミングによっては、最大でドラム回転情報検出手段５０により検出されるパルス信号の１パルス分の時間のばらつきが生じる。このばらつきの発生には、印刷ドラム毎のばらつきと同一印刷ドラム内でのばらつきの２種類がある。
【００６７】
まず、印刷ドラム毎のばらつきについて説明する。
【００６８】
印刷ドラム１０に設けられる突起や製版済孔版原紙を保持する、印刷ドラム１０に設けられたクランプ装置は、印刷ドラム１０の決められた位置に配置されるため、印刷ドラム１０の回転基準位置から印刷ドラム１０の印面開始位置までの円周角についての印刷ドラム毎のばらつきは少ない。しかしながら、ドラムエンコーダ５１のスリットの位相を印刷ドラム毎に同一になるように設置することは困難である。
【００６９】
したがって、図１１に示すように、突起１２および光学センサ１３により検出されるパルス信号が、ドラム回転情報検出手段５０により検出されるパルス信号の立上り直後に発生する印刷ドラム１０もあれば、ドラム回転情報検出手段５０により検出されるパルス信号の立上り直前に発生する印刷ドラム１０もある。したがって、たとえば、第１の実施形態の孔版印刷装置におけるドラム回転情報検出手段５０は、印刷ドラム１０が１回転するのに３００個のパルス信号を検出するものであるため、ドラム回転情報検出手段５０により同じ数のパルス信号がカウントされたとしても、印刷ドラム１０毎で最大１．２度（３６０度/３００）の回転角度のばらつきが生じることになる。したがって、上記第１の実施形態の孔版印刷装置（印刷ドラム１０の径１７３ｍｍ）のように、Ｄｆｇ＝５６のときに印刷用紙の先端が印刷ドラム１０とプレスローラ１１との接点にくるようにしても、印刷ドラム毎に最大で約１．８ｍｍ（１７３π/３００）の印刷位置のばらつきが発生することになる。
【００７０】
次に、同一印刷ドラム内のばらつきについて説明する。
【００７１】
第１の実施形態の孔版印刷装置においては、上述したように、回転基準位置は突起１２および光学センサ１３で検出され、ドラム回転情報検出手段５０は、この光学センサ１３で検出された信号に基づいてＣＰＵ、ＤＳＰまたはＡＳＩＣなどの制御処理装置によりパルス信号を０からカウントする。
【００７２】
ここで、上記のような光学センサ１３の応答速度や制御処理装置の処理速度には、数ｎｓ〜数十μｓの遅延と数％のばらつきがある。また、印刷ドラムなどの部品の微小な歪みにより、同一印刷ドラム、高速な応答速度の光学センサを用いても１枚1枚の印刷毎に、ドラム回転情報検出手段５０により検出されるパルス信号の発生タイミングに対する回転基準位置のパルス信号の発生タイミングのばらつきが発生する。
【００７３】
したがって、図１２に示すように、ドラム回転情報検出手段５０により検出されるパルス信号の立上りと、突起１２および光学センサ１３により検出されるパルス信号の立上りとが比較的近くなるようにドラムエンコーダ５１が設置された場合には、上記ばらつきにより、印刷ドラム１０の１回転毎に、回転情報検出手段５０によりカウントされるパルス信号のカウント数に１パルス分のばらつきが発生する。したがって、上記印刷ドラム毎のばらつきが発生する場合と同様に、1枚の印刷毎に約１．８ｍｍ（１７３π/３００）の印刷位置のばらつきが発生することになる。
【００７４】
上記のようなばらつきの発生は、回転基準位置のパルス信号の立上りと回転情報検出手段５０により検出されるパルス信号の立上りとが、印刷ドラム毎に同じ量だけずれるようにすれば解決できるが、組立用の位置決め治具が必要となり、組み立て工数が増大する。また、ドラムエンコーダとして高分解能の円盤スリットを用いても改善できるが、上述したように、このような高分解能の円盤スリットは実用上望ましくない。
【００７５】
したがって、第２の実施形態の孔版印刷装置においては、第１の実施形態の孔版印刷装置において用いたドラム用カウンタ手段１０１のドラム用カウンタパルス信号を利用し、ドラム回転情報検出手段５０により検出されるパルス信号の位相に対する回転基準位置のパルス信号の位置を高分解能で検出し、回転基準位置からの印刷ドラム１０の回転角度情報を高精度に検出する。
【００７６】
具体的には、たとえば、図１３に示すようなタイミングで回転基準位置のパルス信号とドラム回転情報検出手段５０により検出されるパルス信号とが発生した場合には、回転基準位置のパルス信号が発生する直前にドラム回転情報検出手段５０により検出されたパルス信号の立上りから、回転基準位置のパルス信号が発生した直後にドラム回転情報検出手段５０により検出されたパルス信号の立上りまでにドラム用カウンタ手段１０１によりカウントされたドラム用カウンタパルス信号の数α４と、回転基準位置のパルス信号が検出されたときから、その直後にドラム回転情報検出手段５０により検出されたパルス信号の立上りまでにドラム用カウンタ手段１０１によりカウントされたドラム用カウンタパルス信号の数β４を以下のようにして算出する。
【００７７】
α４＝１２３００２９−１１７６７０６＝５３３２３
β４＝１２３００２９−１２１０１２０＝１９９０９
そして、上記のようにして算出されたα４とβ４とに基づいて、以下のようにしてｙを求める。なお、本実施形態においては、印刷ドラム１０が回転基準位置まで回転した時点から最初のパルス信号が検出された時点までのドラム用カウンタパルス信号の数β４とα４とに基づいてｙを算出するようにしたが、これに限らず、印刷ドラム１０が回転基準位置まで回転する前に最後にパルス信号が検出された時点から印刷ドラム１０が回転基準位置まで回転した時点までのドラム用カウンタパルス信号の数（１２１０１２０−１１７６７０６＝３３４１４）とα４とに基づいてｙを算出するようにしてもよい。
【００７８】
ｙ＝β４/α４＝１９９０９/５３３２３＝０．３７３
そして、第１の実施形態の孔版印刷装置と同様に領域Ｉ〜領域ＩＶにおけるレジストローラ３１，３２の回転速度を設定して制御するようにする場合には、Ｄｆｇ＝５６−ｙのときに、印刷用紙の搬送距離がＬｐ＝５４．３５となるようにすればよい。
【００７９】
領域Ｉ〜ＩＶにおける印刷用紙の搬送距離は以下の式により算出される。
【数７】
2006103172.tif 000009
【００８０】
したがって、上式より、
【数８】
2006103172.tif 000010
【００８１】
となり、上式（５）よりＸは、
【数９】
2006103172.tif 000011
【００８２】
となる。
【００８３】
そして、第１の実施形態の孔版印刷装置と同様のレジストローラ３１，３２の駆動制御を行う場合には、上式より
Ｎ＝２３．６２５、ｙ＝０．３７３、Ｘ＝６．２３４
となるので、
【数１０】
2006103172.tif 000012
【００８４】
となり、８．８９４＋１０．３２２＋３５．３２２＝５４．３５となる。
【００８５】
したがって、図１４に示すように、レジストローラ３１,３２の回転速度を制御すれば、上記に説明した印刷ドラム毎のばらつきや同一印刷ドラムにおけるばらつきの影響を受けることなく、適切な印刷位置合わせをすることができる。
【００８６】
なお、本実施形態においては、印刷ドラム１０が回転基準位置まで回転した後、最初にドラム回転情報検出手段５０により検出されたパルス信号を０としてパルス信号をカウントするようにしたが、つまり、印刷ドラム１０が回転基準位置まで回転した後、最初にドラム回転情報検出手段５０により検出されるパルス信号を基準としてパルス信号をカウントするようにしたが、このようなカウントの方法に限らず、たとえば、印刷ドラム１０が回転基準位置まで回転した後、最初にドラム回転情報検出手段５０により検出されるパルス信号のカウント数をインクリメントせずに、その次のパルス信号からインクリメントするようにしてもよい。つまり、印刷ドラム１０が回転基準位置まで回転する直前に検出するパルス信号を基準とするようにしてもよい。後者のようにしてカウントした場合においても、その回転基準位置の検出方法については、上記に説明した方法と同様にすればよい。
【００８７】
次に、本発明の画像形成装置の第３の実施形態を利用した孔版印刷装置について説明する。
【００８８】
第３の実施形態の孔版印刷装置は、上記第１の実施形態の孔版印刷装置と同様にして、ドラム用カウンタパルス信号を用いてレジストローラ３１，３２の目標回転角度を設定するものであるが、さらに、上記のようにして設定された目標回転角度に基づいて回転するレジストローラ３１，３２の実際の回転角度を高精度に検出し、上記目標回転角度および上記実際の回転角度（実測回転角度）に基づいてレジストローラ３１，３２の回転角度を高精度に制御するものである。
【００８９】
具体的には、たとえば、第３の実施形態の孔版印刷装置において、第１の実施形態の孔版印刷装置の場合と同様に、図１５に示すようなタイミングでドラム回転情報検出手段５０においてパルス信号がカウントされるとともに、レジストセンサ６０においてパルス信号が検出されたとすると、第３の実施形態の孔版印刷装置においても上記第１の実施形態の孔版印刷装置と同様にしてドラム用カウンタ手段１０１のドラム用カウンタパルス信号に基づいて領域Ｉ〜ＩＶにおける目標回転角度が設定される。
【００９０】
つまり、レジストセンサ６０により印刷用紙の先端が検出されたときのＤｆｇの値Ｎは、Ｎ＝２３＋β/α＝２３．６２５となるので、
Ｘ＝（Ｎ２−６６０）/（２×Ｎ−６０）＝７．９８９となり
再加速する領域ＩＩＩは、Ｄｆｇ＝Ｎ＋Ｘ＝３１．６１４のタイミングで開始することになる。
【００９１】
そして、再加速を停止する領域ＩＶは、Ｄｆｇ＝３０＋Ｘ＝３７．９８９のタイミングで開始することになる。
【００９２】
第３の実施形態の孔版印刷装置においては、まず、上記のようにして求められたＤｆｇの値を利用し、以下のようにしてレジストローラ３１，３２の目標回転角度が算出される。なお、レジストローラの３１，３２の目標回転角度は、ローラ回転情報検出手段３８において検出されるパルス信号のカウント数の目標値Ｒｆｇ’として算出される。
【００９３】
まず、領域ＩにおけるＲｆｇ’については以下の式により算出することができる。
【数１１】
2006103172.tif 000013
【００９４】
上記のようにして算出されたＤｆｇ＝２３．６２５を代入するとＲｆｇ’＝８３．８１７となる。
【００９５】
ここで、実際にレジストセンサ６０が印刷用紙の先端を検出したときのタイミングが、図１５に示すようなタイミングである場合に、実際にローラ回転情報検出手段３８により検出されたパルス信号のカウント数Ｒｎを算出すると、
【数１２】
2006103172.tif 000014
【００９６】
となる。
【００９７】
したがって、上記のようにして算出されたＲｆｇ’＝８３．８１７と比較するとＲｎの方が値が小さいのでレジストローラ制御に遅延があったことになる。
【００９８】
また、領域ＩＩについてのＲｆｇ’は以下の式により算出することができる。
【数１３】
2006103172.tif 000015
【００９９】
上記のようにして算出されたＤｆｇ＝３１．６１４を代入するとＲｆｇ’＝１３８．５１３となる。
【０１００】
また、領域ＩＩＩについてのＲｆｇ’は以下の式により算出することができる。
【数１４】
2006103172.tif 000016
【０１０１】
上記のようにして算出されたＤｆｇ＝３７．９８９を代入するとＲｆｇ’＝１８９．８５２となる。
【０１０２】
また、領域ＩＶについてのＲｆｇ’は、Ｄｆｇ＝５６のときにＲｎからのレジストローラ３１，３２の搬送量が５４．３５になればよい。
【０１０３】
５４．３５×５００/３２π＝２７０．３１５[パルス]なので、
【数１５】
2006103172.tif 000017
【０１０４】
となる。
【０１０５】
上記のようにして、各領域についての目標値Ｒｆｇ’が算出される。
【０１０６】
なお、本実施形態においては、上式のように、印刷用紙の先端検出前に最後にローラ回転情報検出手段３８により検出されたパルス信号の検出時点から印刷用紙の先端検出時点になるまでのローラ用カウンタパルス信号の数（１２６００２９−１２５５１２９＝４９００）と、印刷用紙の先端検出時点までにローラ回転情報検出手段３８により検出されたパルス信号の数「８１」とに基づいてＲｎを算出するようにしたが、これに限らず、印刷用紙の先端検出時点からその後最初にローラ回転情報検出手段３８により検出されたパルス信号の検出時点までのローラ用カウンタパルス信号の数（１２６１０６８−１２６００２９＝１０３９）と、印刷用紙の先端検出後最初にローラ回転情報検出手段３８により検出されたパルス信号の検出時点までに検出されたパルス信号「８２」とに基づいてＲｎを算出するようにしてもよい。また、ローラ回転情報検出手段３８により検出されたパルス信号数「８１」とローラ用カウンタパルス信号の数「１０３９」とに基づいてＲｎを算出するようにしてもよいし、ローラ回転情報検出手段３８により検出されたパルス信号の数「８２」とローラ用カウンタパルス信号の数「４９００」とに基づいてＲｎを算出するようにしてもよい。
【０１０７】
そして、上記のようにして目標値Ｒｆｇ’を算出した後、レジストローラ３１，３２の実測回転角度が算出される。たとえば、ドラム回転情報検出手段５０により検出されるパルス信号のカウント数とローラ回転情報検出手段３８により検出されるパルス信号のカウント数とが、図１６に示すようになった場合、Ｄｆｇ＝３８のときの実測回転角度は、ローラ用カウンタパルス信号に基づいて以下のようにして算出される。なお、ローラ用カウンタパルス信号は、ローラ回転情報検出手段３８により検出されるパルス信号の周期よりも短い周期のパルス信号であり、本実施形態の孔版印刷装置においては、ドラム用カウンタ手段１０１において発生し、計測されるものである。また、本実施形態においては、下式のように、Ｄｆｇ＝３８になる前に最後にローラ回転情報検出手段３８により検出されたパルス信号の検出時点からＤｆｇ＝３８になるまでのローラ用カウンタパルス信号の数（２０２６６８２−２０２２１９３＝４４８９）と、Ｄｆｇ＝３８になるまでにローラ回転情報検出手段３８により検出されたパルス信号の数１８８とに基づいて実測回転角度を算出するようにしたが、これに限らず、Ｄｆｇ＝３８になった時点からその後最初にローラ回転情報検出手段３８により検出されたパルス信号の検出時点までのローラ用カウンタパルス信号の数（２０２８１１２−２０２６６８２＝１４３０）と、Ｄｆｇ＝３８になった後最初にローラ回転情報検出手段３８により検出されたパルス信号の検出時点までに検出されたパルス信号の数「１８９」とに基づいて実測回転角度を算出するようにしてもよい。また、ローラ回転情報検出手段３８により検出されたパルス信号の数「１８８」とローラ用カウンタパルス信号の数「１４３０」とに基づいて実測回転角度を算出するようにしてもよいし、ローラ回転情報検出手段３８により検出されたパルス信号の数「１８９」とローラ用カウンタパルス信号の数「４４８９」とに基づいて実測回転角度を算出するようにしてもよい。
【数１６】
2006103172.tif 000018
【０１０８】
となる。
【０１０９】
また、Ｄｆｇ＝３８のときは、上式よりＲｆｇ’＝１８９．９５２となるので、このときの実測回転角度と目標回転角度との差分は、Ｒｆｇ’―Ｒｆｇ＝１８９．９５２−１８８．７５８＝１．１９４[パルス]であり、この差分だけレジストローラ２１，３２の回転速度を上げるように制御すればよい。
【０１１０】
第３の実施形態の孔版印刷装置の駆動制御手段１０３は、たとえば、図１７に示すように構成され、実速度計測部１０３ｅにおいて上記のようにしてレジストローラ３１，３２の実回転速度が算出される。
【０１１１】
上記第３の実施形態の孔版印刷装置によれば、レジストローラ３１，３２の目標回転速度を設定するとともに、レジストローラ３１，３２のローラ回転角度情報をパルス信号として検出し、そのパルス信号の周期よりも短い周期のローラ用カウンタパルス信号を発生するとともに、その発生したローラ用カウンタパルス信号の数を計測し、上記パルス信号の一周期に応じたローラ用カウンタパルス信号の数を取得するとともに、用紙先端の検出後の所定の時点までにおけるローラ用カウンタパルス信号の数をさらに取得し、上記のように取得されたローラ用カウンタパルス信号の比率に基づいてレジストローラ３１，３２の所定の時点における実測回転角度を算出し、実測回転角度が目標回転角度に近づくように所定の時点以後のレジストローラ３１，３２の回転速度を制御するようにしたので、レジストローラ３１，３２の実測回転角度をより高精度に算出することができ、上記所定の時点以後のレジストローラ３１，３２の回転速度をより高精度に設定することができるので、より高精度な印刷位置合わせを行うことができる。
【０１１２】
また、上記第３の実施形態の孔版印刷装置においては、Ｄｆｇ＝３８のときのレジストローラ３１，３２の目標回転角度と実測回転角度との差分に基づいてレジストローラ３１，３２の回転速度を制御する例を説明したが、回転速度を制御するタイミングとしては、印刷用紙の先端が検出された後であれば、どのタイミングで行ってもよい。たとえば、予め設定されたサンプリング間隔で行うようにしてもよい。
【０１１３】
また、上記第３の実施形態の孔版印刷装置においては、Ｒｎの算出の際、ローラ回転情報検出手段３８のパルス信号の一周期に応じたドラム用カウンタパルス信号の数を取得するのに、レジストセンサ６０により印刷用紙の先端が検出されたときのローラ回転情報検出手段３８のパルス信号の周期を利用するようにしたが、これに限らず、もっと前のパルス信号の周期を利用するようにしてもよいし、印刷用紙の先端が検出されたあとのパルス信号の周期を利用するようにしてもよい。Ｄｆｇ＝３８のときのレジストローラの回転速度を制御する際、ローラ回転情報検出手段３８のパルス信号の一周期に応じたドラム用カウンタパルス信号の数を取得するのに、Ｄｆｇ＝３８が検出されたときのローラ回転情報検出手段３８のパルス信号の周期を利用するようにしたが、これに限らず、もっと前のパルス信号の周期を利用するようにしてもよいし、Ｄｆｇ＝３８が検出されたあとのパルス信号の周期を利用するようにしてもよい。ただし、精度を求めるには、Ｄｆｇ＝３８のときのローラ回転情報検出手段３８のパルス信号の周期を利用することが望ましい。
【０１１４】
また、上記第３の実施形態の孔版印刷装置においては、レジストローラ３１，３２の目標回転速度を、上記第１の実施形態の孔版印刷装置と同様にしてドラム用カウンタパルス信号に基づいて算出し設定するようにしたが、上記第２の実施形態の孔版印刷装置と同様に、さらに印刷ドラム１０に回転基準位置もドラム用カウンタパルス信号を利用して検出し、その検出された回転基準位置も考慮してレジストローラ３１，３２の目標回転速度を設定するようにしてもよい。その目標回転速度の計算方法については、第２の実施形態の孔版印刷装置と同様である。
【０１１５】
また、上記第１から第３の実施形態の孔版印刷装置においては、ドラム回転情報検出手段５０およびローラ回転情報検出手段３８におけるパルス信号の数のカウントは、パルス信号の立上りを検出することにより行うようにしたが、立上りと立下りの両方でカウントするようにしてもよい。上記のようにカウントすることにより２倍の分解能でパルス信号を検出することができる。上記のように立上りと立下りの両方をカウントする場合には、パルス信号のＨｉｇｈとＬｏｗとの比率が５０％である必要があり、センサスリット精度を要する。あるいは、ＨｉｇｈとＬｏｗの比率に差に応じて立上りおよび立下りのドラム用カウンタパルス信号のカウント数を補正することにより、立上りと立下りの両方を使用することが可能である。
【０１１６】
また、上記第１から第３の実施形態の孔版印刷装置に用いた数式は上式に限らず、装置の機械寸法やレジストローラ３１，３２の加速度などに応じて変更するようにすればよい。また、印刷用紙の印刷開始位置を変更する場合にも、上記数式を変更して加速タイミングを変更することにより、適切な印刷位置合わせを行うことができる。
【図面の簡単な説明】
【０１１７】
【図１】本発明の孔版印刷装置の第１の実施形態の概略構成図
【図２】図１に示す孔版印刷装置の駆動制御系を示すブロック図
【図３】図１に示す孔版印刷装置のレジストローラの回転速度の制御方法について説明するための図
【図４】従来のレジストローラの回転速度の制御方法について説明するための図
【図５】図１に示す孔版印刷装置のレジストローラの回転速度の制御方法における具体的な計算方法を説明するための図
【図６】図１に示す孔版印刷装置のレジストローラの回転速度の制御方法の具体例を示す図
【図７】図６に示すレジストローラの回転速度の制御方法における具体的な計算方法を説明するための図
【図８】図６に示すレジストローラの回転速度の制御方法における具体的な計算方法を説明するための図
【図９】図１に示す孔版印刷装置における駆動制御手段のブロック図
【図１０】ドラムエンコーダのパルス信号の位相と回転基準位置を示すパルス信号との関係を説明するための図
【図１１】回転基準位置を示すパルス信号の印刷ドラム毎のばらつきを説明するための図
【図１２】回転基準位置を示すパルス信号の同一印刷ドラムにおけるばらつきを説明するための図
【図１３】本発明の孔版印刷装置の第２の実施形態のレジストローラの回転速度の制御方法における具体的な計算方法を説明するための図
【図１４】本発明の孔版印刷装置の第２の実施形態のレジストローラの回転速度の制御方法の具体例を示す図
【図１５】本発明の孔版印刷装置の第３の実施形態のレジストローラの回転速度の制御方法における具体的な計算方法を説明するための図
【図１６】本発明の孔版印刷装置の第３の実施形態のレジストローラの実測回転速度の具体的な計算方法を説明するための図
【図１７】本発明の孔版印刷装置の第３の実施の形態の駆動制御手段のブロック図
【符号の説明】
【０１１８】
１０    印刷ドラム
１１    プレスローラ
１２    突起
１３    光学センサ
２０    １次給紙部
２１    スクレーパローラ
２２    ピックアップローラ
２３    サバキ板
３０    ２次給紙部
３１，３２    レジストローラ
３３，３４    ガイド板
３５    レジストモータ
３８    ローラ回転情報検出手段
４０    排紙部
４１，４２    サクションローラ
４３    サクションベルト
５０    ドラム回転情報検出手段
１０２    カウンタ情報取得手段
１０３    モータ制御手段
【図１】
2006103172.tif 000019
【図２】
2006103172.tif 000020
【図３】
2006103172.tif 000021
【図４】
2006103172.tif 000022
【図５】
2006103172.tif 000023
【図６】
2006103172.tif 000024
【図７】
2006103172.tif 000025
【図８】
2006103172.tif 000026
【図９】
2006103172.tif 000027
【図１０】
2006103172.tif 000028
【図１１】
2006103172.tif 000029
【図１２】
2006103172.tif 000030
【図１３】
2006103172.tif 000031
【図１４】
2006103172.tif 000032
【図１５】
2006103172.tif 000033
【図１６】
2006103172.tif 000034
【図１７】
2006103172.tif 000035